(57)【特許請求の範囲】
【請求項１】
接続端子を係止するためのリアホルダをハウジングの後部に嵌合し、前記リアホルダと前記ハウジングとは前記リアホルダを中間まで挿入した第１の係止位置と、前記リアホルダを十分に押し込んだ第２の係止位置とでそれぞれ係合するコネクタにおいて、前記リアホルダとハウジングは前記リアホルダの前記第１の係止位置において前記接続端子を傾斜状態で受け入れ、前記第２の係止位置において水平状態に移動し得るようにし、前記リアホルダには前記接続端子が水平状態にあるときに後方への抜け出しを防止する突起状の後方係止部を設けると共に、前記接続端子の被覆圧着部を係止することにより前記接続端子が水平状態から傾斜状態に戻ることを防止する突起状の垂直係止部を設けたことを特徴とするコネクタ。
【請求項２】
前記後方係止部の両側に、前記接続端子の左右に対向する２枚のスタビライザ片を案内する案内溝を形成し、これらの案内溝の前壁は前記スタビライザ片の前縁を係止する前方係止部とした請求項１に記載のコネクタ。
【請求項３】
前記案内溝の側壁には、前記スタビライザ片が前記前方係止部に当接し、前記接続端子が水平状態にあるときに前記スタビライザ片の孔に係合する突起を設けた請求項２に記載のコネクタ。
【発明の詳細な説明】
【０００１】
【発明の属する技術分野】
本発明は、例えば自動車等の電気配線に使用され、接続端子を収納するコネクタに関するものである。
【０００２】
【従来の技術】
従来から、一般的にコネクタ内には接続端子を係止するための可撓性を有する係止ランスが使用されているが、この係止ランスは金型が複雑となる上に、必ずしも強度的に十分ではなかった。そこで、本出願人は既に図１１〜図１３に示すような係止ランスを使用しないコネクタを出願している。
【０００３】
このコネクタはハウジング１に対して、リアホルダ２を中間まで挿入した第１の係止位置と、十分に押し込んだ第２の係止位置で係合される。ハウジング１の端子収容室３の後方上壁３ａは後方へ向けて高くされ、後部に電線４を固定した接続端子５が端子収容室３に容易に挿入されるようになっている。そして、リアホルダ２の端子保持板６には、接続端子５の端子接続部５ａの前端部を係止する前方係止部７と、接続端子５ａの後端部を係止する後方係止部８とが形成されている。
【０００４】
リアホルダ２が図１１に示す第１の係止位置にあるときに、接続端子５はハウジング１に傾斜状態で挿入され、更に図１２に示すようにハウジング１内で水平状態にされる。これにより、端子接続部５ａの下部がリアホルダ２の前方係止部７と後方係止部８の間に位置し、接続端子５の前後動が防止される。そして、リアホルダ２をハウジング１に対して十分に押し込むとリアホルダ２は図１３に示すように第２の係止位置になり、端子接続部５ａの前方部が端子収容室３の前方上壁３ｂと端子保持板６の間に圧入され、接続端子５の上下動が防止される。
【０００５】
【発明が解決しようとする課題】
しかしながら上述した従来例では、端子収容室３の後方上壁３ａの高さが後方へ向かって高くなっているため、多数の接続端子５が図１２に示すような水平状態に揃っているときに、１本の電線４が上方へ押圧された場合には、その接続端子５の後部が上方へ移動し、端子接続部５ａの後端部と後方係止部８の係止状態が外れ、その接続端子５がハウジング１から抜け出してしまうという問題点がある
【０００６】
本発明の目的は、上述した問題点を解消し、リアホルダの第１の係止位置において水平状態にした接続端子が傾斜状態に戻らないようにしたコネクタを提供することにある。
【０００７】
【課題を解決するための手段】
上記目的を達成するための本発明に係るコネクタは、接続端子を係止するためのリアホルダをハウジングの後部に嵌合し、前記リアホルダと前記ハウジングとは前記リアホルダを中間まで挿入した第１の係止位置と、前記リアホルダを十分に押し込んだ第２の係止位置とでそれぞれ係合するコネクタにおいて、前記リアホルダとハウジングは前記リアホルダの前記第１の係止位置において前記接続端子を傾斜状態で受け入れ、前記第２の係止位置において水平状態に移動し得るようにし、前記リアホルダには前記接続端子が水平状態にあるときに後方への抜け出しを防止する突起状の後方係止部を設けると共に、前記接続端子の被覆圧着部を係止することにより前記接続端子が水平状態から傾斜状態に戻ることを防止する突起状の垂直係止部を設けたことを特徴とする。
【０００８】
【作用】
上述の構成を有するコネクタでは、ハウジングに対してリアホルダを中間まで挿入した第１の係止位置おいて接続端子を傾斜状態で挿入し、水平状態にした後にリアホルダを第２の係止位置に押し込む。接続端子が傾斜状態から水平状態になると、後方係止部は接続端子の後方への抜け出しを防止し、垂直係止部は接続端子が傾斜状態に戻ることを防止する。
【０００９】
【発明の実施の形態】
本発明を図１〜図１０に図示の実施例に基づいて詳細に説明する。
図１及び図２は第１の実施例の一部を切欠した斜視図であり、図１は合成樹脂製のハウジング１１の後部に合成樹脂製のリアホルダ１２が嵌合され、電線１３付きの接続端子１４がハウジング１１の最終的な位置に収容された状態を示している。
【００１０】
また、図２はリアホルダ１２がハウジング１１の中間部まで挿入された状態を示している。ハウジング１１内には多数の接続端子１４が２段複列に収納するようにされ、接続端子１４は上下段で上下対称形に挿入されている。接続端子１４は導電金属板により形成され、図示しない相手側端子を接続する角筒状の端子接続部２１と、電線１３の芯線を圧着する芯線圧着部２２と、電線１３の被覆を圧着する被覆圧着部２３とが前方から順次に設けられている。
【００１１】
図３はハウジング１１とリアホルダ１２の分解斜視図であり、ハウジング１１の上壁には相手側のコネクタハウジングに対するロック用機構３１が設けられており、ハウジング１１は左右対称形とされ、ロック用機構３１を除いて上下が対称形に形成されている。ハウジング１１の内部は隔壁３２により上下が仕切られ、仕切片３３により左右が仕切られて複数の端子収容室３４が形成されている。隣接する仕切片３３同士の間隔は、接続端子１４の端子接続部２１の左右動を防止する大きさとされ、端子収容室３４の隔壁３２とこの隔壁３２に対向する前方対向壁３４ａとの間隔は、端子接続部２１の上下動を防止する大きさとされている。
【００１２】
隔壁３２に対する中間対向壁３４ｂと後方対向壁３４ｃの間隔は、接続端子１４を端子収容室３４に容易に挿入できるように後方に向けて大きくされている。中間対向壁３４ｂでは、接続端子１４を挿入する際にその傾斜した端子接続部２１が接触するように傾斜され、後方対向壁３４ｃは被覆圧着部２３が接触するように水平にされるか又は若干傾斜されている。ハウジング１１の前端部には、リアホルダ１２と接続端子１４の前進を規制する前方規制部３４ｄが形成されている。そして、ハウジング１１の後部の側壁と最外側の仕切片３３ａとの間には、隔壁３２の側縁の外側を通る隙間３５が設けられると共に、側壁には案内窓３６が形成されている。
【００１３】
一方、リアホルダ１２にはハウジング１１の隙間３５に嵌入する両側の側板４１と、これらの側板４１を連結する連結板４２とが設けられており、連結板４２にはハウジング１１の隔壁３２が嵌合する後方スリット４３が穿設されている。リアホルダ１２の側板４１には、ハウジング１１の側壁の内側に進入してハウジング１１の側壁内側に設けられた錠止溝に嵌合する錠止突起４４と、案内窓３６に進入する案内突起４５とがそれぞれ外方へ向けて設けられている。
【００１４】
また連結板４２には、接続端子の被覆圧着部２３を仕切る圧着部仕切片４６が、ハウジング１１の仕切片３３に対応するように設けられると共に、被覆圧着部２３の突端部２３ａを収容する圧着部収容孔４７が形成されている。更に連結板４２の前端部には、ハウジング１１の仕切片３３に接触するように端子収容室３４に進入する端子保持板４８が一体に設けられ、上下の端子保持板４８の間に形成された前方スリット４９は、ハウジング１１の隔壁３２が進入して後方スリット４３に嵌合するものとされている。
【００１５】
端子保持板４８には、接続端子１４の端子接続部２１の前端部を係止する前方係止部５０と、接続端子１４が水平状態にあるときに端子接続部２１の後端部を係止する後方係止部５１とが設けられている。そして、図４の部分拡大斜視図に示すように、接続端子１４が斜め上方から水平状態に移動する際に乗り越えると共に、乗り越えた後に被覆圧着部２３の底部を両側から係止する圧着部係止突起５２が圧着部仕切片４６に設けられている。
【００１６】
このように構成されたハウジング１１とリアホルダ１２とは、図２に示すようにリアホルダ１２がハウジング１１の後部に中間まで挿入された第１の係止位置を経て、図１に示すようにリアホルダ１２がハウジング１１に対して十分に押し込まれた第２の係止位置とで係合される。リアホルダ１２の第１の係止位置では、ハウジング１１の隔壁３２がリアホルダ１２の前方スリット４９に進入して後方スリット４３に嵌合する。同時に、リアホルダ１２の側板４１がハウジング１１の隙間３５に嵌入し、リアホルダ１２の錠止突起４４と案内突起４５はハウジング１１の案内窓３６に嵌入する。そして、リアホルダ１２の第２の係止位置では、リアホルダ１２の案内突起４５が案内窓３６の前壁に当接すると共に、錠止突起４４がハウジング１１の錠止溝に嵌合する。
【００１７】
電線１３付きの接続端子１４は、リアホルダ１２が第１の係止位置にあるときに端子収容室３４に傾斜状態で挿入され、端子接続部２１の背面がハウジング１１の傾斜した中間対向壁３４ｂに接触しながら前進し、端子接続部２１の前端部が前方係止部５０に当接して前進が停止する。この状態から接続端子１４を連結板４２側へ押圧して水平状態にすると、つまり従来で云えば接続端子が図１１の状態から図１２の状態に移行する際に、被覆圧着部２３が圧着部係止突起５２を乗り越えると共に、被覆圧着部２３の突端部２３ａが圧着部収容孔４７に嵌入し、同時に接続端子１４の端子接続部２１の後端部が後方係止部５１の前方に位置する。
【００１８】
これにより、リアホルダ１２の第１の係止位置において、図５の下側に示すように接続端子１４の被覆圧着部２３が圧着部係止突起５２に係止され、接続端子１４が傾斜状態に戻ることが防止される。また、端子接続部１４の端子接続部２１の前端部が前方係止部５０により係止されて、端子接続部２１の後端部が後方係止部５１により係止され、接続端子１４の前後動が防止される。このとき、接続端子１４の左右動は仕切片３３と圧着部仕切片４６により防止されている。
【００１９】
このような状態からリアホルダ１２を前方へ向けて押し込むと、図１に示すように第２の係止位置になり、端子接続部２１又は端子保持板４８の前端部が前方規制部３４ｄに当接すると共に、リアホルダ１２の案内突起４５が案内窓３６の前壁に当接し、リアホルダ１２の錠止突起４４がハウジング１１の錠止溝に嵌合し、コネクタは使用状態となる。
【００２０】
この第１の実施例では、接続端子１４はリアホルダの後方係止部５により確実に係止され後方への抜け出しは殆ど生じない。また、接続端子１４の端子接続部２１の揺動を前方対向壁３４ａ、端子保持板４８、両側の仕切片３３により防止でき、被覆圧着部２３の揺動を連結板４２、両側の圧着部仕切片４６、両側の圧着部係止突起５２により防止できる。また、接続端子１４が中途挿入状態にあるときは、圧着部係止突起５２が被覆圧着部２３を係止できないので、接続端子１４の不完全な挿入を防止できる。
【００２１】
図６は変形例を示し、接続端子１４の水平状態の固定は圧着部仕切片４６に形成された電線係止突起５３に電線１３を係止することにより行われる。このようにしても、図４の場合と同様に接続端子１４の水平状態を維持することができる。
【００２２】
また、他の変形例として図７に示すように、接続端子１４の被覆圧着部２３と圧着部仕切片４６との係止構造として、圧着部仕切片４６に設けられた凸部５４に、被覆圧着部２３の先端部２３ａに設けられた凹部２３ｂを、接続端子１４を上段から下段に示すように動かして嵌合するようにしてもよい。
【００２３】
図８は第２の実施例の断面図であり、ハウジング６１にはリアホルダ６２が第１の実施例と同様に係合され、電線６３を接続した接続端子６４には端子接続部２１、芯線圧着部２２、被覆圧着部２３に加えて、孔２４ａを有して対向する２枚のスタビライザ片２４が端子接続部２１の後方に設けられている。また、ハウジング６１の隔壁３２の前方部には、前方対向壁３４ａとの間に端子接続部２１の上下動を防止するように支持する端子支持台６５が設けられている。
【００２４】
一方、リアホルダ６２の端子保持板７１では、第１の実施例の前方係止部５０が除かれ、図９の部分拡大斜視図に示すように、上面に傾斜面７２ａを有して端子接続部２１の後端部を係止する後方係止部７２が設けられ、後方係止部７２の両側面にはスタビライザ片２４を案内する案内溝７３が形成されている。案内溝７３の前壁は、接続端子６４が水平状態になり後方係止部７２が端子接続部２１を係止した際にスタビライザ片２４の前縁を係止する前方係止部７４とされ、案内溝７３の底壁にはスタビライザ片２４の突端を収容する溝７５が形成されている。そして、その他の構成は第１の実施例とほぼ同様である。
【００２５】
リアホルダ６２が第１の係止位置にあるときに接続端子６４を挿入すると、図８の上段に示すように端子接続部２１の背面が端子収容室３４の中間対向壁３４ｂに接触しながら傾斜状態で前進する。このとき、スタビライザ片２４は案内溝７３に嵌入しながら前進すると共に、スタビライザ片２４の前端縁が前方係止部７４に当接して前進が停止する。この状態から電線６３を隔壁３２側へ押圧して、図８の下段に示すように接続端子６４を水平状態にすると、被覆圧着部２３の先端部２３ａが圧着部収容孔４７に嵌入し、スタビライザ片２４の突端が溝７５に嵌入する。
【００２６】
同時に、端子接続部２１の後端部が後方係止部７２の前方に位置し、被覆圧着部２３が圧着部係止突起５２を乗り越える。そして、このような状態からリアホルダ６２を押し込むとリアホルダ６２が第２の係止位置に移動し、端子接続部２１の前端部が端子規制部３４ｄに当接すると共に、端子接続部２１の前方部が前方対向壁３４ａと端子支持台６５の間に嵌合する。
【００２７】
この第２に実施例では、リアホルダ６２の第１の係止位置において、水平状態にある接続端子６４の前後動が前方係止部７４と後方係止部７２により防止される。そして、その他の作用効果は第１の実施例と同様になる。
【００２８】
また図１０に示すように、端子保持板７１の案内溝７３の側壁に、傾斜面７７ａを有してスタビライザ片２４の孔２４ａに嵌合する突起７７を設ければ、他の戻り防止機構を用いなくとも、この突起７７により接続端子６４が傾斜状態に戻ることを防止できる。
【００２９】
【発明の効果】
以上説明したように本発明に係るコネクタは、従来の係止ランスを使用せずに接続端子を確実に係止し得ると共に、接続端子が水平状態にあるときに後方への抜け出しを防止する後方係止部と、接続端子が水平状態から傾斜状態に戻ることを防止する垂直係止部とをリアホルダに設けたので、接続端子が傾斜状態から水平状態になると、後方係止部は接続端子の後方への抜け出しを防止し、垂直係止部は接続端子が傾斜状態に戻ることを防止する。
【図面の簡単な説明】
【図１】リアホルダをハウジングに十分に押し込んだ状態の第１の実施例の部分切欠斜視図である。
【図２】リアホルダをハウジングに中間部まで挿入した状態の部分切欠斜視図である。
【図３】ハウジングとリアホルダの分解斜視図である。
【図４】部分拡大斜視図である。
【図５】部分拡大右側面図である。
【図６】変形例の作用説明図である。
【図７】変形例の作用説明図である。
【図８】第２の実施例の断面図である。
【図９】部分拡大斜視図である。
【図１０】変形例の部分拡大斜視図である。
【図１１】従来例の断面図である。
【図１２】従来例の断面図である。
【図１３】従来例の断面図である。
【符号の説明】
１１、６１  ハウジング
１２、６２  リアホルダ
１４、６４  接続端子
２１  端子接続部
２３  被覆圧着部
２４  スタビライザ片
３４  端子収容室
４７  圧着部収容孔
４８、７１  端子保持板
５０、７４  前方係止部
５１、７２  後方係止部
５２  圧着部係止突起
５３  電線係止突起
７３  案内溝
７７  突起
【図１】
0003710878.tif 000002
【図２】
0003710878.tif 000003
【図３】
0003710878.tif 000004
【図４】
0003710878.tif 000005
【図５】
0003710878.tif 000006
【図６】
0003710878.tif 000007
【図７】
0003710878.tif 000008
【図８】
0003710878.tif 000009
【図９】
0003710878.tif 000010
【図１０】
0003710878.tif 000011
【図１１】
0003710878.tif 000012
【図１２】
0003710878.tif 000013
【図１３】
0003710878.tif 000014